(57)【要約】      （修正有）【課題】弁の開閉時にかかるトルク加重値、並びに振動等の複合的な要因によるリミットスイッチへの影響度を管理するとともに、適切な更新時期を把握できるようにする。【解決手段】弁の開閉動作に連動しているレバー及び軸が回転駆動することによりスイッチ７を入切させて弁の開閉あるいは開度を外部に伝えるリミットスイッチ１を管理し、あるいは保守するリミットスイッチの管理保守システムにおいて、レバー５及び軸８にかかるトルク加重値を計測するトルク計測装置２と、リミットスイッチの筺体にかかる振動値を計測する振動計測装置９と、トルク加重値及び振動値に基づいて警報を出力する演算処理装置３とを設ける。【選択図】図１
2014157431.tif 000002
【特許請求の範囲】
【請求項１】
弁の開閉動作に連動しているレバー及び軸が回転駆動することによりスイッチを入切させて上記弁の開閉あるいは開度を外部に伝えるリミットスイッチの管理保守システムであって、
上記レバー及び上記軸にかかるトルク加重値を計測するトルク計測装置と、
上記リミットスイッチの筺体にかかる振動値を計測する振動計測装置と、
上記トルク加重値及び上記振動値に基づいて警報を出力する演算処理装置とを備えたことを特徴とするリミットスイッチの管理保守システム。
【請求項２】
上記トルク加重値及び上記振動値を記憶するためのメモリと、
上記メモリに記憶された上記トルク加重値及び上記振動値をダウンロードすることによりこれらの情報を管理するための保守用パソコンとを備えたことを特徴とする請求項１記載のリミットスイッチの管理保守システム。
【請求項３】
上記リミットスイッチの試験成績書、取扱説明書等の機器情報を上記メモリに予め保存し、上記メモリに保存された上記機器情報を上記保守用パソコンにダウンロードすることにより上記機器情報を閲覧できるようにしたことを特徴とする請求項２記載のリミットスイッチの管理保守システム。
【発明の詳細な説明】
【技術分野】
【０００１】
この発明は、リミットスイッチの製作履歴や運転状況等の情報を管理し、容易に適切な更新時期を判断することのできるリミットスイッチの管理保守システムに関するものである。
【背景技術】
【０００２】
従来リミットスイッチの使用回数又は使用時間をカウンタにより計測し、カウントしたデータを記憶するとともに表示することにより、リミットスイッチの製品寿命を管理するものがあった（特許文献１参照）。
【先行技術文献】
【特許文献】
【０００３】
【特許文献１】特開平８−２５７８７７号公報
【発明の概要】
【発明が解決しようとする課題】
【０００４】
上記特許文献１においては、リミットスイッチの更新時期を適切に評価し管理することが出来なかった。即ちリミットスイッチの使用回数の確認はできるが、例えば弁の動作に連動するようなリミットスイッチを設けた場合、弁の開閉時にかかる加重、振動を加えた複合的な要因を考慮するような管理はできなかった。またリミットスイッチの更新履歴はエレメント履歴記憶部により閲覧可能であるが、不具合があった際に原因を追究するために必要な工場試験成績書や取扱説明書の確認ができなかった。
【０００５】
この発明は上記のような問題点を解決するためになされたものであり、リミットスイッチに不具合が生じた際に、製作履歴や運転状況を現場にて確認できるリミットスイッチの管理保守システムを提供することを目的とする。更には開閉時にかかるトルク加重値、並びに振動の複合的な要因によるリミットスイッチへの影響度を管理するとともに、適切な更新時期を把握できるリミットスイッチの管理保守システムを提供することを目的とする。
【課題を解決するための手段】
【０００６】
この発明に係るリミットスイッチの管理保守システムは、弁の開閉動作に連動しているレバー及び軸が回転駆動することによりスイッチを入切させて弁の開閉あるいは開度を外部に伝えるリミットスイッチを管理し、あるいは保守するシステムであって、レバー及び軸にかかるトルク加重値を計測するトルク計測装置と、リミットスイッチの筺体にかかる振動値を計測する振動計測装置と、トルク加重値及び振動値に基づいて警報を出力する演算処理装置とを備えたものである。
【発明の効果】
【０００７】
上記のように構成されたリミットスイッチの管理保守システムによれば、弁の開閉時にかかるトルク加重値、並びに振動の複合的な要因によるリミットスイッチへの影響度を管理するとともに、適切な更新時期を把握できる。
【図面の簡単な説明】
【０００８】
【図１】実施の形態１によるリミットスイッチの管理保守システムを示す概略斜視図である。
【図２】実施の形態２によるリミットスイッチの管理保守システムを示す概略斜視図である。
【図３】実施の形態２によるリミットスイッチの管理保守システムの情報の流れを示すための概念図である。
【図４】実施の形態３によるリミットスイッチの管理保守システムを示す概略斜視図である。
【図５】実施の形態３によるリミットスイッチの管理保守システムの情報の流れを示すための概念図である。
【発明を実施するための形態】
【０００９】
実施の形態１．
以下実施の形態１を図１に基づいて説明する。図１は実施の形態１によるリミットスイッチの管理保守システムを示す概略斜視図である。図１において、リミットスイッチの管理保守システムはリミットスイッチ１内に設置されたトルク計測装置２、演算処理装置３、メモリ４、振動検出装置９（例えば振動レベル計）で構成される。
【００１０】
次にリミットスイッチ１の動作については、レバー５に連動している弁（図示せず）の開閉動作によりレバー５及び軸８が駆動（回転）し、軸８に固定された複数のカム６が全開、全閉、又は特定の開度になるよう動作したとき各スイッチ７を入切させることにより、弁の開閉あるいは弁の開度を信号で外部に伝えるものである。また演算処理装置３には弁の開閉を示すデジタル信号が入力されるとともに、更にトルク計測装置２によって計測されるトルク加重値及びリミットスイッチ１の筺体に発生し振動検出装置９で計測される振動値のアナログ信号が入力される。
【００１１】
又演算処理装置３は警報用のデジタル信号を出力することができ、演算処理装置３はこれらの信号を入出力するためのインターフェイスを有している。尚本実施形態のリミットスイッチは、主として、火力発電及び原子力発電系統におけるボイラからタービンへの蒸気の流通過程に設置されるスロットル弁、ガバナ弁、リヒートストップ弁及びインターセプト弁などに適用することが考えられるが、これらの弁に限られるものではなく、弁の開閉位置検出用としてあらゆる弁に適用できるものである。
【００１２】
次に動作について説明する。弁が開閉し、スイッチ７が動作した際のリミットスイッチ１のレバー５及び軸８にかかるトルク加重値はトルク計測装置２を介して演算処理装置３に入力され、又リミットスイッチ１の運用中にリミットスイッチ１の筺体にかかる振動負荷情報は振動検出装置９を介して演算処理装置３に入力され、更にメモリ４で記録される。
【００１３】
なおリミットスイッチ１が使用される環境においては、弁の緊急遮断時のリミットスイッチ１にかかるトルク加重値がリミットスイッチ１の定格仕様を超える場合があり、更には通常運用時の振動がリミットスイッチ１の定格仕様を超える場合がある。このように異なる要素ではあるが複合的な要因に基づきリミットスイッチ１、レバー５、及び軸８を経年劣化させる。
【００１４】
そこで定格仕様以上の負担がかかった場合のトルク加重値、及び振動値をリミットスイッチ１にかかる負担の大きさの観点からそれぞれ点数化する。点数化については、トルク加重値及び振動値を相対評価して重み付けする。これによりリミットスイッチ１の運用中にかかったトルク加重値とそれぞれの回数、及び運用中にかかった振動値と発生時間を点数化し、更には積算して複合要因による負担を総合的に評価できることとなる。そして一定の値となった時点で警報を出力し、適切な更新時期を把握することができるようになる。
【００１５】
例えば警報出力の例として、警報出力する際の点数を１００点とし、定格仕様の２倍のトルク加重値が１回かかった場合を１点、定格仕様の２倍の振動を１日受けた場合を１点とするような計算方法が考えられる。即ちこの場合、それぞれ５０回、５０日かかれば警報が出力される。そして警報が出力されることによりリミットスイッチ１の更新時期を把握することが出来るようになる。
【００１６】
実施の形態２．
図２は実施の形態２によるリミットスイッチの管理保守システムを示す概略斜視図、図３は情報の流れを示すための概念図である。図２において、リミットスイッチの管理保守システムは、リミットスイッチ１内に設置したトルク計測装置２、演算処理装置３、メモリ４、振動検出装置９、ＩＣタグカード１０、ＩＣタグカード１０にアクセスするためのポータブル端末１１及び保守ソフトウェアを実装した保守用パソコン１２で構成される。又保守用パソコン１２の代わりに保守用タブレットを用いても良い。
【００１７】
情報の流れは図３に示すように、ポータブル端末１１よりＩＣタグカード１０に対して認証確認を実施した後でアクセスすることにより、メモリ４内に記憶された弁の開閉回数に関する情報、及びリミットスイッチ１にかかるトルク加重値、振動に関する負荷履歴情報、更にはリミットスイッチ１の運用時間の履歴情報を無線信号で保守用パソコン１２にダウンロードする。これにより保守用パソコン１２においてこれらの情報を管理でき、更にはリミットスイッチ１が使用される環境の管理も出来るようになる。
【００１８】
実施の形態３．
図４は実施の形態３によるリミットスイッチの管理保守システムを示す概略斜視図、図５は情報の流れを示すための概念図である。図４において、リミットスイッチの管理保守システムは、リミットスイッチ１内に設置されたＩＣタグカード１０と連絡しているメモリ４、ＩＣタグカード１０にアクセスするためのポータブル端末１１、及び画像処理ソフトウェアを実装した保守用パソコン１２で構成される。
【００１９】
情報の流れは図５に示すように、リミットスイッチ１の工場出荷前に試験成績書、取扱説明書等の機器情報をスキャニングし、このスキャニング電子データをメモリ４に転送し、保存する。ポータブル端末１１よりＩＣタグカード１０に対して認証確認を実施した後、アクセスすることで、メモリ４内の情報を無線信号で保守用パソコン１２にダウンロードする。これにより保守用パソコン１２において上記機器情報を閲覧し、トラブル時の処置方法並びに保守方法を迅速に確認することが出来るようになる。
尚本発明は、その発明の範囲内において、各実施の形態を自由に組み合わせたり、各実施の形態を適宜、変形、省略したりすることが可能である。
【符号の説明】
【００２０】
１  リミットスイッチ、２  トルク計測装置、３  演算処理装置、４  メモリ、
５  レバー、６  カム、７  スイッチ、８  軸、９  振動検出装置、
１０  ＩＣタグカード、１１  ポータブル端末、１２  保守用パソコン。
【図１】
2014157431.tif 000003
【図２】
2014157431.tif 000004
【図３】
2014157431.tif 000005
【図４】
2014157431.tif 000006
【図５】
2014157431.tif 000007